(57)【要約】  少なくとも１つの強力シール（１０２）と少なくとも１つの脆弱シール（１０１ａ，１０１，１０３，１０３ａ）との組み合わせを有する壁を伴うチャンバ（４００）を備える、物質を供給するための装置（１００）であって、脆弱シール（１０１ａ，１０１，１０３，１０３ａ）が吐出口（２００）の壁（１０５）同士をつなぐ、装置（１００）。吐出口（２００）は、少なくとも１つの脆弱シール（１０１ａ，１０１，１０３，１０３ａ）へ向けて物質を案内する。吐出口（２００）は、少なくとも１つの強力シール（１０２）が少なくとも１つの脆弱シール（１０１ａ，１０１，１０３，１０３ａ）よりも内側に延びることによって形成される少なくとも１つの壁（１０５）により画定される。吐出口（２００）が複数の脆弱シール（１０１ａ，１０１，１０３，１０３ａ）を有する場合には、脆弱シール（１０１ａ，１０１，１０３，１０３ａ）間に少なくとも１つのバッファチャンバ（３００）が形成される。吐出口の排出端（２０１）が最も外側の脆弱シール（１０１ａ）を有する。装置（１００）は、外圧がチャンバ（４００）に加えられるときに物質を供給する。【選択図】図１
2014501674.tif 000002
【特許請求の範囲】
【請求項１】
少なくとも１つの強力シール（１０２）と少なくとも１つの脆弱シール（１０１ａ，１０１，１０３，１０３ａ）との組み合わせを有する壁を伴うチャンバ（４００）を備える、物質を供給するための装置（１００）であって、前記脆弱シール（１０１ａ，１０１，１０３，１０３ａ）が吐出口（２００）の壁（１０５）同士をつなぎ、
前記吐出口（２００）が、前記物質を前記少なくとも１つの脆弱シール（１０１ａ，１０１，１０３，１０３ａ）へ案内し、
前記吐出口（２００）が、前記少なくとも１つの強力シール（１０２）が前記少なくとも１つの脆弱シール（１０１ａ，１０１，１０３，１０３ａ）よりも内側に延びることによって形成される少なくとも１つの壁（１０５）により画定され、
前記少なくとも１つの脆弱シールが、前記吐出口の排出端（２０１）に最も外側の脆弱シール（１０１ａ）を有し、
前記装置（１００）が、外圧が前記チャンバ（４００）に加えられるときに前記物質を供給する、装置（１００）。
【請求項２】
前記最も外側の脆弱シール（１０１ａ）が、前記吐出口（２００）の外部汚染を防止するようにシールされた吐出口をもたらす、請求項１に記載の装置（１００）。
【請求項３】
前記吐出口（２００）が、少なくとも１つのバッファチャンバ（３００）を形成する複数の脆弱シール（１０１ａ，１０１，１０３，１０３ａ）を有する、請求項１または２に記載の装置（１００）。
【請求項４】
前記バッファチャンバ（３００）が、前記物質が前記最も外側の脆弱シール（１０１ａ）を突破して当該装置（１００）から流出する際に、前記物質の流れを制御する、請求項３に記載の装置（１００）。
【請求項５】
内側の前記脆弱シール（１０３，１０３ａ）の強度が外側の前記脆弱シール（１０１，１０１ａ）の強度よりも高い、請求項１〜４のいずれか一項に記載の装置（１００）。
【請求項６】
前記少なくとも１つの脆弱シール（１０１ａ，１０１，１０３，１０３ａ）が０．６〜３．０ニュートンの範囲のシール力を有する、請求項１〜５のいずれか一項に記載の装置（１００）。
【請求項７】
前記少なくとも１つの脆弱シール（１０１ａ，１０１，１０３，１０３ａ）の強度が、前記脆弱シール（１０１ａ，１０１，１０３，１０３ａ）の幅を変えることによって変えられ得る、請求項１〜６のいずれか一項に記載の装置（１００）。
【請求項８】
前記少なくとも１つの脆弱シール（１０１ａ，１０１，１０３，１０３ａ）が、前記物質が前記チャンバ（４００）から流出するのを防止する、請求項１〜７のいずれか一項に記載の装置（１００）。
【請求項９】
前記吐出口（２００）が、テーパ状の形態を成す複数の壁（１０５）を有する、請求項１〜８のいずれか一項に記載の装置（１００）。
【請求項１０】
前記吐出口（２００）のテーパ状の形態が、前記物質のスラスト力を前記脆弱シール（１０１ａ，１０１，１０３，１０３ａ）へ漸進的に導くことができるようにする、請求項１〜９のいずれか一項に記載の装置（１００）。
【請求項１１】
前記吐出口（２００）が４ｍｍ〜１３ｍｍの排出開口幅を有する、請求項１〜１０のいずれか一項に記載の装置（１００）。
【請求項１２】
前記吐出口（２００）が、円錐形状、円筒形状、または、これらの組み合わせのいずれかを有する、請求項１〜１１のいずれか一項に記載の装置（１００）。
【請求項１３】
前記吐出口（２００）が３０°〜１０５°の範囲の開口角度を有する、請求項１〜１２のいずれか一項に記載の装置（１００）。
【請求項１４】
前記最も外側の脆弱シール（１０１ａ）が、隣接する内側の脆弱シール（１０３，１０３ａ）よりも短い、請求項１〜１３のいずれか一項に記載の装置（１００）。
【請求項１５】
前記最も外側の脆弱シール（１０１ａ）が、隣接する内側の脆弱シール（１０３，１０３ａ）よりも長い、請求項１〜１４のいずれか一項に記載の装置（１００）。
【請求項１６】
前記最も外側の脆弱シール（１０１ａ）および隣接する内側の脆弱シール（１０３，１０３ａ）がほぼ等しい長さを有する、請求項１〜１５のいずれか一項に記載の装置（１００）。
【請求項１７】
少なくとも１つの脆弱シール（１０１ａ，１０１，１０３，１０３ａ）を有する前記吐出口（２００）が、枕カバーパッケージ、スティックパック、三面シールパウチ、四面シールパウチ、サイドガセットパウチ、センターシールパウチ、起立パウチ、再シール可能な起立パウチと共に用いるように構成され得る、請求項１〜１６のいずれか一項に記載の装置（１００）。
【請求項１８】
少なくとも１つのバッファチャンバ（３００）を形成する複数の脆弱シール（１０１ａ，１０１，１０３，１０３ａ）を有する前記吐出口（２００）が、枕カバーパッケージ、スティックパック、三面シールパウチ、四面シールパウチ、サイドガセットパウチ、センターシールパウチ、起立パウチ、再シール可能な起立パウチと共に用いるように構成され得る、請求項２〜１７のいずれか一項に記載の装置（１００）。
【請求項１９】
少なくとも１つの強力シール（１０２）と少なくとも１つの脆弱シール（１０１ａ，１０１，１０３，１０３ａ）との組み合わせを有する壁を伴うチャンバ（４００）を備える、物質を供給するための装置（１００）であって、前記脆弱シール（１０１ａ，１０１，１０３，１０３ａ）が吐出口（２００）の壁（１０５）同士をつなぎ、
前記吐出口（２００）が、前記物質を前記少なくとも１つの脆弱シール（１０１ａ，１０１，１０３，１０３ａ）へ案内し、
前記吐出口（２００）が、前記少なくとも１つの強力シール（１０２）が前記少なくとも１つの脆弱シール（１０１ａ，１０１，１０３，１０３ａ）よりも内側に延びることによって形成される少なくとも１つの壁（１０５）により画定され、
前記少なくとも１つの脆弱シールが、前記吐出口の排出端（２０１）に最も外側の脆弱シール（１０１ａ）を有する、装置（１００）。
【請求項２０】
前記最も外側の脆弱シール（１０１ａ）が、前記吐出口（２００）の外部汚染を防止するようにシールされた吐出口をもたらす、請求項１９に記載の装置（１００）。
【請求項２１】
前記吐出口（２００）が、少なくとも１つのバッファチャンバ（３００）を形成する複数の脆弱シール（１０１ａ，１０１，１０３，１０３ａ）を有する、請求項１９または２０に記載の装置（１００）。
【請求項２２】
前記バッファチャンバ（３００）が、前記物質が前記最も外側の脆弱シール（１０１ａ）を突破して当該装置（１００）から流出する際に、前記物質の流れを制御する、請求項２１に記載の装置（１００）。
【発明の詳細な説明】
【技術分野】
【０００１】
本発明の技術分野は、物質のパッケージに適用される。
【背景技術】
【０００２】
現在、物質を収容して供給する多くのパウチが存在する。しかしながら、パウチの大部分は、物質を供給する前に開口を引き裂くために両手の使用を必要とする。使用前にパウチの開口を引き裂く必要性は、特にユーザが一方の手しか利用できないときには不便である。片手でパウチを圧搾することにより、パウチ内の物質は制御できない勢いで排出される場合がある。
【０００３】
引き裂く必要性は、競技会中にあちこち動き回りながら液体をパックから摂取するスポーツ選手にとっては不便である。スポーツ選手にとっては、袋の内容物を制御不可能に排出することなく片手で袋を扱うことが好ましい。
【発明の概要】
【発明が解決しようとする課題】
【０００４】
米国特許第４，７５９，４７２号明細書は、飲料供給器内の飲料濃縮物を引き裂かずに供給するために破ることができるシールを有する容器について記載している。しかしながら、シールされない吐出口を有するため、吐出口が使用前に汚染に晒される。
【０００５】
本発明の目的は、その内容物の制御された排出を行ないつつ装置を少なくとも一方の手で開放する簡略化された手段を有する装置を提供することである。
【０００６】
装置は、少なくとも１つの強力シールと少なくとも１つの脆弱シールとの組み合わせを有する壁を伴うチャンバを備える、物質を供給するための装置であって、脆弱シールが吐出口（ｓｐｏｕｔ）の壁同士をつなぐ。吐出口は、物質を少なくとも１つの脆弱シールへ案内する。吐出口は、少なくとも１つの強力シールが少なくとも１つの脆弱シールよりも内側に延びることにより形成される少なくとも１つの壁を有することによって画定される。吐出口の排出端は、吐出口の外部汚染を防止するためにシールされた吐出口をもたらす最も外側の脆弱シールを有する。装置は、外圧がチャンバに加えられるときに物質を供給する。
【０００７】
吐出口が複数の脆弱シールを有する場合には、脆弱シール間に少なくとも１つのバッファチャンバが形成される。
【０００８】
バッファチャンバにより、物質が最も外側の脆弱シールを突破して装置から流出する際に物質の流れが制御される。内側の脆弱シールの強度は、外側の脆弱シールの強度よりも高い。
【０００９】
少なくとも１つの脆弱シールの強度は、脆弱シールの幅を変えることによって変えられ得る。少なくとも１つの脆弱シールは、物質がチャンバから流出するのを防止する。
【００１０】
テーパ状の形態を成す複数の壁を有する吐出口は、物質のスラスト力を脆弱シールへ向けて漸進的に導くことができるようにする。吐出口は、円錐形および／または円筒形の形状を有してもよい。
【００１１】
吐出口の好ましい実施形態では、最も外側の脆弱シールが、隣接する内側の脆弱シールよりも短い。吐出口の他の実施形態では、最も外側の脆弱シールが、隣接する内側の脆弱シールよりも長い。吐出口の更なる他の実施形態では、最も外側の脆弱シールおよび隣接する内側の脆弱シールがほぼ等しい長さを有する。
【００１２】
少なくとも１つの脆弱シールまたは少なくとも１つのバッファチャンバを形成する複数の脆弱シールを有する吐出口は、枕カバーパッケージ、スティックパック、三面シールパウチ、四面シールパウチ、サイドガセットパウチ、センターシールパウチ、起立パウチ（例えば、Ｓｔａｂｉｌｏ  Ｂａｇ（商標））、再シール可能な起立パウチ（例えば、Ｄｏｙｐａｃｋ）と共に使用するように適合されてもよい。
【図面の簡単な説明】
【００１３】
【図１】単一の脆弱シールを伴う本発明の一実施形態を描いている。
【図２】複数の脆弱シールを伴う吐出口の一実施形態を描いている。
【図３】複数の脆弱シールを伴う本発明の一実施形態を描いている。
【図４】複数の脆弱シールを伴う本発明の実施形態の変形を描いている。
【発明を実施するための形態】
【００１４】
以下、添付図面を参照して、本発明の好ましい実施形態について説明する。以下の好ましい実施形態のそれぞれは一例について説明している。
【００１５】
図１および図２を参照すると、物質を供給するための装置（１００）は、少なくとも１つの強力シール（１０２）と少なくとも１つの脆弱シール（１０１ａ，１０１，１０３）とを有するチャンバ（４００）を備える。少なくとも１つの脆弱シール（１０１ａ，１０１，１０３）は、チャンバ（４００）内に物質を保持するために吐出口（２００）の壁同士を横切ってつなぐ。最も外側の脆弱シール（１０１ａ）は、装置（１００）の外周に沿ってもよい。最も外側の脆弱シール（１０１ａ）を装置（１００）の外周に沿って形成すると、シールされるときに外部汚染による収容物質の汚染が防止される。また、最も外側の脆弱シール（１０１ａ）は、最も外側の脆弱シール（１０１ａ）が吐出口の排出端（２０１）で吐出口（２００）をシールするので、吐出口（２００）の外部汚染を防止する。これは、特に物質が動物により消費されるものである場合に、衛生状態を高める。
【００１６】
装置（１００）の外周に沿う少なくとも１つの強力シール（１０２）は、装置（１００）の形状プロファイルに寄与する。少なくとも１つの強力シール（１０２）は、外圧がチャンバ（４００）に加えられるときにチャンバ（４００）内の物質が装置（１００）から無作為に飛び出すのを防止する。吐出口（２００）は、少なくとも１つの強力シール（１０２）が少なくとも１つの脆弱シール（１０１ａ，１０１，１０３，１０３ａ）よりも内側に延びることによって形成される少なくとも１つの壁（１０５）により画定される。少なくとも１つの壁（１０５）は、少なくとも１つの脆弱シール（１０１ａ，１０１，１０３，１０３ａ）へ向けて物質を案内する。
【００１７】
外圧がチャンバ（４００）に加えられると、結果として、チャンバ（４００）内に収容される物質が少なくとも１つの脆弱シール（１０１ａ，１０１，１０３，１０３ａ）にスラスト力を加え、それにより、少なくとも１つの脆弱シール（１０１ａ，１０１，１０３，１０３ａ）が破れ、物質がチャンバ（４００）から排出される。
【００１８】
図２を参照すると、吐出口（２００）は複数の脆弱シール（１０１ａ，１０１，１０３，１０３ａ）を有してもよく、その場合、複数の脆弱シール（１０１ａ，１０１，１０３，１０３ａ）が少なくとも１つのバッファチャンバ（３００）を形成する。少なくとも１つのバッファチャンバ（３００）は、最も内側の脆弱シール（１０３ａ）が破られるときに収容物質の初期噴出を和らげ、それにより、物質が最も外側の脆弱シール（１０１ａ）を突破して装置（１００）から流出する際に収容物質の流れが制御される。
【００１９】
物質の排出を更に制御するために、内側の脆弱シール（１０３）の強度は、隣接する外側の脆弱シール（１０１）の強度よりも高い。少なくとも１つの脆弱シール（１０１ａ，１０１，１０３，１０３ａ）の強度は、後続の外側の脆弱シール（１０１）の強度が、隣接する内側の脆弱シール（１０３）よりも低くなるように設定される。そのため、脆弱シール（１０１ａ，１０１，１０３，１０３ａ）の間では、最も内側の脆弱シール（１０３ａ）の強度が最も高く、最も外側の脆弱シール（１０１ａ）の強度が最も低い。少なくとも１つの脆弱シール（１０１ａ，１０１，１０３，１０３ａ）の強度は、少なくとも１つの脆弱シール（１０１ａ，１０１，１０３，１０３ａ）の幅を変えることによって変えられてもよい。収容中、少なくとも１つの脆弱シール（１０１ａ，１０１，１０３，１０３ａ）は、使用していないときに物質がチャンバ（４００）から流出するのを防止する。少なくとも１つの脆弱シール（１０１ａ，１０１，１０３，１０３ａ）のシール力は０．６〜３．０ニュートンの範囲である。
【００２０】
装置（１００）の強力シールおよび脆弱シールを形成するために任意のシール方法が使用されてもよく、例えば、装置（１００）のシールを形成するために超音波シールおよび／またはヒートシールが使用されてもよい。
【００２１】
図３および図４は装置（１００）の好ましい実施形態を描いており、この実施形態では、吐出口（２００）の少なくとも１つの壁（１０５）がテーパ状の形態を有する。吐出口（２００）のテーパ壁（１０５）は、排出中に物質のスラスト力を少なくとも１つの脆弱シール（１０１ａ，１０１，１０３，１０３ａ）へ漸進的に導くことができるようにする。
【００２２】
好ましい実施形態において、吐出口（２００）は、４ｍｍ〜１３ｍｍの範囲の排出開口幅および３０°〜１０５°の範囲の開口角度を壁（１０５）間に有してもよい。吐出口（２００）は、排出中に物質が吐出口を満たすときに円錐形および／または円筒形の形状をなしてもよい。
【００２３】
装置（１００）の様々な実施形態において、吐出口（２００）の最も外側の脆弱シール（１０１ａ）の相対的な長さは、隣接する脆弱シール（１０１，１０３，１０３ａ）の長さに対して変えられてもよい。１つの形態では、最も外側の脆弱シール（１０１ａ）の長さが隣接する脆弱シール（１０１，１０３，１０３ａ）の長さより短くてもよい。
【００２４】
他の形態では、最も外側の脆弱シール（１０１ａ）の長さが、隣接する脆弱シール（１０１，１０３，１０３ａ）の長さより長くてもよい。更なる他の形態では、最も外側の脆弱シール（１０１ａ）の長さが、最も内側の脆弱シール（１０１，１０３，１０３ａ）の長さとほぼ等しくてもよい。
【００２５】
容器の製造のために使用される材料は好ましくは柔軟であるべきである。柔軟材料は、チャンバ（４００）の任意の拡張および圧縮を可能にする。装置（１００）の形状は、図面によって描かれる形状に限定されない。吐出口（２００）および脆弱シール（１０１ａ，１０１，１０３，１０３ａ）は、枕カバーパッケージ、スティックパック、三面シールパウチ、四面シールパウチ、サイドガセットパウチ、センターシールパウチ、起立パウチ（例えば、Ｓｔａｂｉｌｏ  Ｂａｇ（商標））、再シール可能な起立パウチ（例えば、Ｄｏｙｐａｃｋ）などの任意の柔軟なパッケージタイプに適合されてもよいが、用途は前述したものに限定されない。
【００２６】
装置（１００）内の物質は、液体、ゲル状、粉末、顆粒であってもよいが、これらの例に限定されない。
【００２７】
本発明は細部が変形、改良、および、変更に晒されるため、前述した説明に含まれる或いは添付図面に示される全ての事柄は、例示的な意味に解釈されるべきであり、限定的な意味に解釈されるべきではない。
【図１】
2014501674.tif 000003
【図２】
2014501674.tif 000004
【図３】
2014501674.tif 000005
【図４】
2014501674.tif 000006
【国際調査報告】
2014501674.tif 000007
2014501674.tif 000008